(57)【要約】【課題】グランドコンタクト上に接続されるドレイン線のピール強度を高めて電気特性を向上させる。ドレイン線の所定位置の位置決めを確実にしてクロストーク等の特性を向上せしめ、他の導体である信号線の半田とのブリッジが生じないようにする。【解決手段】コネクタ１は、一対の信号線１１を備えると共に１本のドレイン線１７を備えている伝送ケーブルを接続すべく、一対の信号線１１を上下に振り分けて接続する接続部２３Ａ，２３Ｂを上下面に備えたシグナルコンタクト２１と、前記ドレイン線１７を半田接続する接続部２５Ａ，２５Ｂを設けたグランドコンタクトと、を備えている。さらに、前記グランドコンタクトの上下面の接続部２５Ａ，２５Ｂのうちの少なくとも上面の接続部２５Ａが、前記ドレイン線１７を載置して接合材溜り部を形成する断面凹部２７である。【選択図】図１
2006260900.tif 000002
【特許請求の範囲】
【請求項１】
一対の信号線を備えると共に少なくとも１本のドレイン線を備えている伝送ケーブルを接続すべく、一対の信号線を上下に振り分けて接続する接続部を上下面に備えたシグナルコンタクトと、前記ドレイン線を接続する接続部を設けたグランドコンタクトと、を備えたコネクタにおいて、
前記グランドコンタクトの上下面の接続部のうちの少なくとも上面の接続部が、前記ドレイン線を載置して接合材溜り部を形成する断面凹部であることを特徴とするコネクタ。
【請求項２】
前記グランドコンタクトが、左右方向のほぼ中央で２分割されていることを特徴とする請求項１記載のコネクタ。
【請求項３】
前記凹部がＶ字形状又はＵ字形状であることを特徴とする請求項１又は２記載のコネクタ。
【請求項４】
前記グランドコンタクトの側面が、接合材が流れにくい物質でコーティングされていることを特徴とする請求項１、２又は３記載のコネクタ。
【請求項５】
前記グランドコンタクトの側面に、梨地模様を施していることを特徴とする請求項１、２、３又は４記載のコネクタ。
【発明の詳細な説明】
【技術分野】
【０００１】
この発明は、伝送ケーブルとの接続に用いるコネクタに関する。
【背景技術】
【０００２】
従来、コンピュータなどのサーバ間に使用する集合ケーブルがあり、通信信号などを大容量で瞬時に送信しても、受信及び送信が瞬時または同時にスムーズに行う場合などに用いられる。上記の集合ケーブルは多数の信号線又は信号線対を内周側から外周側へ複数層状に配置して構成される。なお、信号線とは外周に絶縁体からなる被覆材を被覆して構成されており、信号線対とは一対の信号線を平行に保持した２芯同軸ケーブル（ツイナックスと呼ばれている）である。
【０００３】
図６を参照するに、上記の伝送ケーブルが接続されるコネクタ１０１は、主にベースとなるフラットな基板１０３と、ハウジング１０５と、グランドコンタクト１０７（クリップ）と、チップ１０９とから構成されている。グランドコンタクト１０７は、基板１０３を挟み込むような断面コ字状をなしており、その全面に金メッキが施されており、基板１０３とグランドコンタクト１０７は半田によって接合されている。例えば、グランドコンタクト１０７は、長手方向の長さが例えば４．２ｍｍ、幅が例えば０．３ｍｍであり、複数のグランドコンタクト１０７が例えば１．５ｍｍピッチで基板１０３と半田接合されている。
【０００４】
上記のコネクタ１０１には、直径が異なる２種類の導体Ａと導体Ｂが配線されて、図９に示されているように半田１１１で接続される。導体Ａと導体Ｂについて詳しくは後述するが、直径が例えばφ０．３〜０．５ｍｍが使用されている。
【０００５】
図７乃至は図９を参照するに、２芯同軸ケーブル１１３は、中心導体としての信号線１１５の外周に絶縁体からなる被覆材１１７が被覆されて絶縁線１１９を構成しており、この絶縁線１１９のペア線にドレイン線１２１とが添えられ、例えばアルミなどのテープ材などの被覆材１２３が外周に巻き付けられている。
【０００６】
この２芯同軸ケーブル１１３が接続されるコネクタ１０１は、図７に示されているように上記の２本の信号線１１５（導体Ａ）を接続するためのシグナルコンタクト１２５と、ドレイン線１２１（導体Ｂ）を接続するグランドとしてのグランドコンタクト１０７と、が設けられている。したがって、上記の２本の信号線１１５がそれぞれ１本ずつシグナルコンタクト１２５の上下面に例えば半田１１１で接続され、ドレイン線１２１はグランドコンタクト１０７の上下面のいずれか一方に例えば図７では上面に半田１１１で接続される（例えば、特許文献１及び特許文献２参照）。
【特許文献１】特開２００４−１２７６２３号公報
【特許文献２】特開２００４−１３４１２８号公報
【発明の開示】
【発明が解決しようとする課題】
【０００７】
ところで、従来のコネクタ１０１においては、導体Ａ，Ｂの半田接続では、図１０に示されているように、半田１１１のフィレット１２７の形成が接合部の強度を得るものである。しかしながら、グランドコンタクト１０７の上面の半田１１１は、図９に示されているように金フラッシュメッキが施されているグランドコンタクト１０７の側面を伝わって流れてしまうために、グランドコンタクト１０７の上面のドレイン線１２１（導体Ｂ）の半田１１１の量が少なくなってしまうので、ドレイン線１２１の接合部の強度が十分に得られないという問題点があった。
【０００８】
さらには、グランドコンタクト１０７の側面を流れた半田１１１が、基板１０３に半田接続されている隣りの信号線１１５（導体Ａ）の半田１１１とブリッジして導通してしまう恐れがあるという問題点があった。
【０００９】
この発明は上述の課題を解決するためになされたものである。
【課題を解決するための手段】
【００１０】
この発明のコネクタは、一対の信号線を備えると共に少なくとも１本のドレイン線を備えている伝送ケーブルを接続すべく、一対の信号線を上下に振り分けて接続する接続部を上下面に備えたシグナルコンタクトと、前記ドレイン線を接続する接続部を設けたグランドコンタクトと、を備えたコネクタにおいて、
前記グランドコンタクトの上下面の接続部のうちの少なくとも上面の接続部が、前記ドレイン線を載置して接合材溜り部を形成する断面凹部であることを特徴とするものである。
【００１１】
また、この発明のコネクタは、前記コネクタにおいて、前記グランドコンタクトが、左右方向のほぼ中央で２分割されていることが好ましい。
【００１２】
また、この発明のコネクタは、前記コネクタにおいて、前記凹部がＶ字形状又はＵ字形状であることが好ましい。
【００１３】
また、この発明のコネクタは、前記コネクタにおいて、前記グランドコンタクトの側面が、接合材が流れにくい物質でコーティングされていることが好ましい。
【００１４】
また、この発明のコネクタは、前記コネクタにおいて、前記グランドコンタクトの側面に、梨地模様を施していることが好ましい。
【発明の効果】
【００１５】
以上のごとき課題を解決するための手段から理解されるように、この発明のコネクタによれば、ドレイン線がグランドコンタクトの上面の凹部に載置されて半田付けされると、溶融した半田が凹部の接合材溜り部に留まってグランドコンタクトの側面に流れないように、もしくは流れてもその量を少なくすることができる。その結果、グランドコンタクトの上面に半田接続される半田のフィレットが十分であるので、ドレイン線のピール強度を増大でき、電気特性の向上を図ることができる。
【００１６】
さらに、ドレイン線を凹部で確実に所定位置に位置決めできるので、クロストーク等の特性の向上を図ることができる。
【００１７】
また、半田接続する際に半田量が多く投入されても、グランドコンタクトの側面に流れる量が少ないので、基板上に半田接続されている隣りの信号線の半田とブリッジして導通してしまうという恐れが無くなる。
【発明を実施するための最良の形態】
【００１８】
以下、この発明の実施の形態について図面を参照して説明する。
【００１９】
図１を参照するに、この実施の形態に係るコネクタ１の主要な構成部材は、ベースとなるフラットな基板３と、グランドコンタクト５（クリップ）と、からなる。
【００２０】
グランドコンタクト５は、基板３を挟み込むような断面コ字状をなしており、その全面に金メッキが施されており、基板３とグランドコンタクト５は半田によって接合されている。例えば、グランドコンタクト５は、長手方向の長さが例えば４．２ｍｍ、幅が例えば０．３ｍｍであり、複数のグランドコンタクト５が１．５ｍｍピッチで基板３と半田接合されている。
【００２１】
上記のコネクタ１には、直径が異なる２種類の導体Ａと導体Ｂが配線されて、図３に示されているように接合材としての例えば半田７で接続される。導体Ａと導体Ｂについて詳しくは後述するが、直径が例えばφ０．３〜０．５ｍｍが使用されている。
【００２２】
この実施の形態に係る伝送ケーブルとしての例えば２芯同軸ケーブル９は、図１および図２に示されているように、中心導体としての信号線１１の外周に絶縁体からなる被覆材１３が被覆されて絶縁線１５を構成しており、この絶縁線１５のペア線にドレイン線１７とが添えられ、例えばアルミなどのテープ材などの被覆材１９が外周に巻き付けられている。なお、２芯同軸ケーブルには２本のドレイン線を備えているものもある。
【００２３】
また、コネクタ１は、図１に示されているように、上記の２本の信号線１１（導体Ａ）を接続するためのシグナルコンタクト２１と、ドレイン線１７（導体Ｂ）を接続するグランドとしてのグランドコンタクト５と、が設けられている。
【００２４】
なお、シグナルコンタクト２１には、２本の信号線１１を上下に振り分けて接続するための接続部２３Ａ，２３Ｂが上下面に設けられている。
【００２５】
また、グランドコンタクト５には、グランドコンタクト５の上下面がドレイン線１７を接続する接続部２５Ａ，２５Ｂであり、この上下面の接続部２５Ａ，２５Ｂのうちの少なくとも上面の接続部２５Ａには、前記ドレイン線１７を載置して接合材溜り部としての半田溜り部を形成する断面凹部２７がグランドコンタクト５の長手方向に向けて設けられている。なお、前記凹部２７はこの実施の形態ではＶ字形状をなしているが、Ｕ字形状あるいは他の形状であっても構わない。
【００２６】
したがって、上記の２本の信号線１１がそれぞれ１本ずつ上下に振り分けてシグナルコンタクト２１の上下面に例えば半田７で接続され、ドレイン線１７はグランドコンタクト５の上下面のいずれか一方に例えば図３では上面の凹部２７に半田７で接続される。
【００２７】
上記構成により、ドレイン線１７がグランドコンタクト５の上面の凹部２７に載置されて半田付けされると、前記凹部２７に半田溜り部が形成されているので、図３に示されているように溶融した半田７が半田溜り部に留まってグランドコンタクト５の側面に流れないように、もしくは流れてもその量を少なくすることができる。その結果、グランドコンタクト５の上面に半田接続される半田７のフィレット２９が図４に示されているように十分であるので、ドレイン線１７のピール強度が増大し、電気特性の向上を図ることができる。
【００２８】
さらに、ドレイン線１７が凹部２７で確実に所定位置に位置決めされる効果により、クロストーク等の特性の向上を図ることができる。
【００２９】
また、半田接続する際に、多少なりとも半田７が過度に投入されたとしても、グランドコンタクト５の側面に流れる量が少ないので、基板３上に半田接続されている隣りの信号線１１の半田７とブリッジして導通してしまうという恐れが無くなる。
【００３０】
この発明の他の実施の形態のコネクタ１について説明する。なお、前述した実施の形態のコネクタ１とほぼ同様であるので、異なる点を記載し、他の同様の部分の説明は省略する。
【００３１】
図５を参照するに、グランドコンタクト５が左右方向のほぼ中央で２分割されている。これらのグランドコンタクト片５Ａ，５Ｂを合わせることにより、半田溜り部を形成する断面凹部２７が形成される。したがって、上記の合わせ面が前記凹部２７の最下点に位置するので、溶融した半田７が多少なりとも上記の合わせ面に浸入するために、物理的にも半田７の流れを抑制することができる。
【００３２】
さらに、グランドコンタクト５は、その全面に金メッキが施されているために溶融した半田７が側面を流れ易いので、グランドコンタクト５の両側面に半田７が流れにくい濡れ性の悪い物質３１をコーティングする。例えば、他の金属メッキあるいは樹脂をコーティングする。これによって、溶融半田７が側面を流れる速度を遅くするので、その途中で半田７が固まるために、結果として半田７がグランドコンタクト５の側面を流れ落ちるのを防ぐことができる。
【００３３】
さらに、図５に示されているように、グランドコンタクト５の側面の上方には、梨地模様３３を加工することも半田７を流れにくくする点で効果がある。また、グランドコンタクト５の上面にエンボス加工を行うことも溶融半田７を留める点で効果がある。
【００３４】
以上のことから、投入される半田７の量が多い場合でもグランドコンタクト５の側面に流れる半田７の量を少なくできるので、他の導体（信号線１１）とブリッジする恐れが無くなる。また、ドレイン線１７を接続する半田７のフィレット２９が十分であるので、ドレイン線１７のピール強度を増大でき、電気特性の向上を図ることができる。
【００３５】
さらに、グランドコンタクト５が狭いピッチであっても半田接続が可能となり、コネクタ１自体のサイズも小さくできる。また、高低差のある部分への半田接続が可能となる。
【図面の簡単な説明】
【００３６】
【図１】この発明の実施の形態のコネクタに伝送ケーブルを接続する前の状態を示す斜視図である。
【図２】この発明の実施の形態に係る２芯同軸ケーブルの断面図である。
【図３】この発明の実施の形態のコネクタに伝送ケーブルを接続した状態を示す正面図である。
【図４】グランドコンタクトにドレイン線が半田接続された状態の拡大断面図である。
【図５】この発明の他の実施の形態を示す斜視図である。
【図６】従来のコネクタの全体の概略を示す斜視図である。
【図７】従来のコネクタに伝送ケーブルを接続する前の状態を示す斜視図である。
【図８】２芯同軸ケーブルの断面図である。
【図９】従来のコネクタに伝送ケーブルを接続した状態を示す正面図である。
【図１０】（Ａ）は従来、導体が半田接続された状態の拡大断面図で、（Ｂ）は側面図である。
【符号の説明】
【００３７】
１  コネクタ
３  基板
５  グランドコンタクト（クリップ）
５Ａ，５Ｂ  グランドコンタクト片
７  半田
９  ２芯同軸ケーブル（伝送ケーブル）
１１  信号線
１３  被覆材
１５  絶縁線
１７  ドレイン線
１９  被覆材
２１  シグナルコンタクト
２３Ａ，２３Ｂ  接続部（シグナルコンタクト２１の）
２５Ａ，２５Ｂ  接続部（グランドコンタクト５の）
２７  凹部
２９  フィレット
３１  濡れ性の悪い物質
３３  梨地模様
【図１】
2006260900.tif 000003
【図２】
2006260900.tif 000004
【図３】
2006260900.tif 000005
【図４】
2006260900.tif 000006
【図５】
2006260900.tif 000007
【図６】
2006260900.tif 000008
【図７】
2006260900.tif 000009
【図８】
2006260900.tif 000010
【図９】
2006260900.tif 000011
【図１０】
2006260900.tif 000012